(57)【要約】【課題】遊技意欲を向上させることができる遊技機を提供する。【解決手段】識別図柄の可変表示を行う可変表示手段と、識別図柄の可変表示結果が特定表示態様となったときに遊技状態を大当り遊技状態に移行させる大当り移行制御手段と、所定の連続大当り条件が成立しているときに遊技状態が大当り遊技状態したときの連チャン回数を計数する計数手段と、その連チャン回数を初当りごとに記憶する記憶手段と、連チャン回数の順位を特定する特定手段と、特定された順位を表示する表示手段とを有するパチンコ遊技機１とした。【選択図】  図１
2006296677.tif 000002
【特許請求の範囲】
【請求項１】
識別図柄の可変表示を行う可変表示手段と、
該可変表示手段における前記識別図柄の可変表示結果が特定表示態様となったときに、遊技者にとって有利な大当り遊技状態に遊技状態を移行させる大当り移行制御手段と、
前記特定表示態様となったときにおいて所定の連続大当り条件が成立しているか否かを判定する連続大当り判定手段と、
前記特定表示態様となったときにおいて前記連続大当り判定手段によって前記連続大当り条件が成立していないと判定されたときに初当りと判定する初当り判定手段と、
前記初当り判定手段によって初当りと判定されてから、前記初当り判定手段によって判定されることなく前記特定表示態様となった場合にその連続した回数を連続大当り回数として計数する連続大当り回数計数手段と、
前記連続大当り回数計数手段によって計数された連続大当り回数を前記初当りの判定毎に記憶する連続大当り回数記憶手段と、
前記連続大当り回数記憶手段に記憶された前記初当りの判定毎の連続大当り回数の大小を比較し、前記初当りの判定毎に順位を特定する順位特定手段と、
前記順位特定手段によって特定された順位を表示する順位表示手段と、を有することを特徴とする遊技機。
【請求項２】
前記識別図柄の可変表示結果が前記特定表示態様のうちの特別表示態様になったときに、前記大当り遊技状態終了後の遊技状態を、前記識別図柄の可変表示結果が前記特定表示態様になる確率が高くなる特別遊技状態とする特別遊技制御手段を更に備え、
前記連続大当り条件は、前記特別遊技状態であることを含むことを特徴とする請求項１記載の遊技機。
【請求項３】
前記識別図柄の可変表示結果が前記特別表示態様とは異なる態様であって、前記特定表示態様のうちの非特別表示態様になったときに、前記大当り遊技状態終了後の遊技状態を、前記識別図柄の可変表示される時間が短縮される時短遊技状態とする時短遊技制御手段を更に備え、
前記連続大当り条件は、前記時短遊技状態であることを含むことを特徴とする請求項２記載の遊技機。
【請求項４】
前記連続大当り条件は、前記大当り遊技状態の終了後、前記識別図柄の可変表示回数が予め定められた特例回数に達する前であることを含むことを特徴とする請求項１〜３のいずれか一項記載の遊技機。
【請求項５】
遊技者による操作が可能な操作手段を更に備え、
前記順位表示手段は、前記操作手段による所定の表示指示操作が受け付けられたときに、前記順位特定手段によって特定された順位を表示することを特徴とする請求項１〜４のいずれか一項記載の遊技機。
【請求項６】
識別図柄の可変表示の制御を行う可変表示制御機能と、
該可変表示制御機能における前記識別図柄の可変表示結果が特定表示態様になったときに、遊技者にとって有利な大当り遊技状態に遊技状態を移行させる大当り移行制御機能と、
前記特定表示態様となったときにおいて所定の連続大当り条件が成立しているか否かを判定する連続大当り判定機能と、
前記特定表示態様となったときにおいて前記連続大当り判定機能によって前記連続大当り条件が成立していないと判定されたときに初当りと判定する初当り判定機能と、
前記初当り判定機能によって初当りと判定されてから、前記初当り判定機能によって判定されることなく前記特定表示態様となった場合にその連続した回数を連続大当り回数として計数する連続大当り回数計数機能と、
前記連続大当り回数計数機能によって計数された連続大当り回数を前記初当りの判定毎に所定の記憶領域に記憶させる連続大当り回数計数機能と、
前記所定の記憶領域に記憶された前記初当りの判定毎の連続大当り回数の大小を比較し、前記初当りの判定毎に順位を特定する順位特定機能と、
前記順位特定機能によって特定された順位を表示させる制御を行う順位表示制御機能と、を有することを特徴とする遊技用プログラム。
【発明の詳細な説明】
【技術分野】
【０００１】
本発明は、パチンコ遊技機やスロットマシン（パチスロ機）などの遊技機および遊技用プログラムに関する。
【背景技術】
【０００２】
パチンコ遊技機などの遊技機においては、通常の遊技を行える通常遊技状態のほか、通常遊技状態よりも遊技者にとって有利な大当り遊技状態（以下「大当り」という）で遊技を行えることがある。
【０００３】
この種のパチンコ遊技機では、遊技状態が大当りになると大入賞口が開放し、賞球をより多く得やすくなって遊技者に有利となる。
また、遊技機の中には、大当りが終了した後も大当りに移行しやすい遊技状態（確変遊技状態）や識別図柄の可変表示時間を短縮するようにした遊技状態（時短遊技状態）等の特別な遊技状態で遊技を行えるものがある。このような特別な遊技状態では、通常遊技状態よりも大当りに移行しやすいため、多くの場合、再び大当りに移行する。すると、遊技者は獲得した賞球をあまり減らすことなく大当りで遊技を行えることとなる（このように、大当り終了後、通常遊技状態への移行を介することなく連続して大当りに移行することを「連チャン（連荘）」という）。そして連チャンの回数の多さは、獲得できた賞球の多さにつながるため、遊技者の中には、連チャンの回数を意識して遊技を行う者もいる。そのため、そのような遊技者のために、従来、連チャンの回数を表示する遊技機があった（例えば、特許文献１参照）。
【０００４】
【特許文献１】特開平６−１８２０５０号公報
【発明の開示】
【発明が解決しようとする課題】
【０００５】
しかしながら従来の遊技機では、連チャンの絶対的な回数を認識することはできても、果たしてその連チャンの回数がどのくらい多いのか、どのくらいすごいのかを推し量ることができないため、今ひとつ連チャンに対する興味を持たせ、遊技意欲を向上させることはできなかった。
【０００６】
そこで、本発明は上記課題を解決するためになされたもので、遊技意欲を向上させることができる遊技機および遊技用プログラムを提供することを目的とする。
【課題を解決するための手段】
【０００７】
上記課題を解決するため、本発明は、識別図柄の可変表示を行う可変表示手段と、その可変表示手段における識別図柄の可変表示結果が特定表示態様となったときに、遊技者にとって有利な大当り遊技状態に遊技状態を移行させる大当り移行制御手段と、特定表示態様となったときにおいて所定の連続大当り条件が成立しているか否かを判定する連続大当り判定手段と、特定表示態様となったときにおいて連続大当り判定手段によって連続大当り条件が成立していないと判定されたときに初当りと判定する初当り判定手段と、初当り判定手段によって初当りと判定されてから、初当り判定手段によって判定されることなく特定表示態様となった場合にその連続した回数を連続大当り回数として計数する連続大当り回数計数手段と、連続大当り回数計数手段によって計数された連続大当り回数を初当りの判定毎に記憶する連続大当り回数記憶手段と、連続大当り回数記憶手段に記憶された初当りの判定毎の連続大当り回数の大小を比較し、前記初当りの判定毎に順位を特定する順位特定手段と、順位特定手段によって特定された順位を表示する順位表示手段とを有することを特徴とする遊技機とした。
【０００８】
この遊技機では、初当りと判定される毎の連続大当り回数の順位が表示されるようになり、遊技者に対してより多くの連続大当り回数を出そうとする意識を働かせるようになって、遊技意欲を向上させるようになる。
【０００９】
また、識別図柄の可変表示結果が特定表示態様のうちの特別表示態様になったときに、大当り遊技状態終了後の遊技状態を、識別図柄の可変表示結果が特定表示態様になる確率が高くなる特別遊技状態とする特別遊技制御手段を更に備え、連続大当り条件は、特別遊技状態であることを含むようにしてもよい。
【００１０】
この遊技機では、特別遊技状態に移行すると短時間で大当り遊技状態となる可能性が高いため、遊技者は、特別遊技状態への移行に対する意欲をより向上させることができ、遊技意欲がさらに向上するようになる。
【００１１】
また、識別図柄の可変表示結果が特別表示態様とは異なる態様であって、特定表示態様のうちの非特別表示態様になったときに、大当り遊技状態終了後の遊技状態を、識別図柄の可変表示される時間が短縮される時短遊技状態とする時短遊技制御手段を更に備え、連続大当り条件は、時短遊技状態であることを含むようにしてもよい。
【００１２】
この遊技機によれば、遊技者は、特別遊技状態に移行しなくても、時短遊技状態となることによって短時間での大当り遊技状態への移行が可能となるため、遊技者は、特別遊技状態に移行しなくとも連続大当り回数を出そうとする意欲を持続させることができる。
【００１３】
連続大当り条件は、大当り遊技状態の終了後、識別図柄の可変表示回数が予め定められた特例回数に達する前であることを含むようにしてもよい。
【００１４】
この遊技機によれば、短時間で再度大当りに移行したような場合には、特例として連続大当り回数として計数されるようになり、連続大当り回数の増加によって連続大当りに対する遊技意欲がさらに向上するようになる。
【００１５】
遊技者による操作が可能な操作手段を更に備え、順位表示手段は、操作手段による所定の表示指示操作が受け付けられたときに、順位特定手段によって特定された順位を表示するようにしてもよい。
【００１６】
このような遊技機では、遊技者の所望するときに、連続大当り回数の順位を視認させることができるようになって、遊技者の利便性を向上させることができる。
【００１７】
また、本発明は、識別図柄の可変表示の制御を行う可変表示制御機能と、その可変表示制御機能における識別図柄の可変表示結果が特定表示態様になったときに、遊技者にとって有利な大当り遊技状態に遊技状態を移行させる大当り移行制御機能と、特定表示態様となったときにおいて所定の連続大当り条件が成立しているか否かを判定する連続大当り判定機能と、特定表示態様となったときにおいて連続大当り判定機能によって連続大当り条件が成立していないと判定されたときに初当りと判定する初当り判定機能と、初当り判定機能によって初当りと判定されてから、初当り判定機能によって判定されることなく特定表示態様となった場合にその連続した回数を連続大当り回数として計数する連続大当り回数計数機能と、連続大当り回数計数機能によって計数された連続大当り回数を初当りの判定毎に所定の記憶領域に記憶させる連続大当り回数計数機能と、所定の記憶領域に記憶された初当りの判定毎の連続大当り回数の大小を比較し、初当りの判定毎に順位を特定する順位特定機能と、順位特定機能によって特定された順位を表示させる制御を行う順位表示制御機能とを有することを特徴とする遊技用プログラムとした。
【００１８】
この遊技用プログラムによれば、初当りと判定される毎の連続大当り回数の順位が表示されるようになり、遊技者に対してより多くの連続大当り回数を出そうとする意識を働かせるようになって、遊技意欲を向上させるようになる。
【発明の効果】
【００１９】
本発明によれば、遊技意欲を向上させることができる遊技機および遊技用プログラムを提供することができる。
【発明を実施するための最良の形態】
【００２０】
以下、本発明の好適な実施形態について図面を参照しながら説明する。なお、図面の説明において、同一または相当要素には同一の符号を付し、重複する説明は省略する。図１は本発明の第１の実施形態に係るパチンコ遊技機を正面側から示す斜視図、図２は図１に示すパチンコ遊技機の分解斜視図、図３は図１に示すパチンコ遊技機を背面側から示す斜視図、図４は図２に示す遊技盤の正面図、図５は図１に示すパチンコ遊技機の断面を模式的に示す断面図である。
【００２１】
（遊技機の構成）
図１に示すパチンコ遊技機１は遊技球を用いて遊技が行われる。パチンコ遊技機１は、遊技場（ホール）の所定の設置枠に収容されて設置される外枠２を備えている。外枠２の正面側には、外枠２に対して回動可能に設けられたベースドア（内枠）３が配設され、ベースドア３内には、図２に示す遊技盤４が組み込まれている。また、外枠２の正面には、フロント扉５が設けられている。フロント扉５は、遊技盤４の正面を覆うとともに、ベースドア３の正面側に回転可能に設置されている。
【００２２】
また、パチンコ遊技機１には、プリペイドカードなどが挿入されると、当該プリペイドカードの残高に応じて、遊技球が貸し出されるように構成されたカードユニット８４が隣接して併設されている。
【００２３】
フロント扉５は、その中央の略全域にガラス板５ａを備え、その内側の遊技盤４が視認可能な構成とされている。フロント扉５の下部には、カードユニット８４のカード返却操作を行うための返却ボタン２０ａや遊技球の貸し出し（玉貸し）操作を行うための玉貸しボタン２０ｅを有する玉貸し操作パネル２８が設けられている。また、この玉貸し操作パネル２８には、選択ボタン２０ｂ，２０ｃおよび操作手段に相当する演出ボタン２０ｄが設けられている。
【００２４】
また、フロント扉５の下側には、外枠２に対して開閉可能な皿パネル６が設置されている。この皿パネル６の正面側には、カードユニット８４により貸し出された遊技球および後述する入賞口に入球した場合に払い出される遊技球を受け止める上皿６ａと、この上皿６ａの満杯時に球出口６ｄの内方で溢れた遊技球を受け止める下皿６ｂと、この下皿６ｂの右側に設けられた発射ハンドル６ｃと、が配置されている。
【００２５】
発射ハンドル６ｃは、上皿６ａに受け止められている遊技球を発射するためのもので、皿パネル６に対して回動自在に設けられ、遊技者は発射ハンドル６ｃを操作することによりパチンコ遊技を進めることができる。この発射ハンドル６ｃが遊技者によって握持され、かつ、時計回り方向へ回動操作されたときに、その回動角度に応じて発射モータ（図示せず）に電力が供給され、遊技球が遊技盤４に順次発射される。
【００２６】
発射された遊技球は、図４に示すガイドレール７に向けて勢いよく飛び出し、ガイドレール７により案内されて遊技盤４の上部に移動し、その後、遊技釘との衝突によりその進行方向を変えながら遊技盤４の下方に向かって流下する。
【００２７】
遊技盤４には、遊技状態において遊技球が流下する領域となる遊技領域４ａが形成されており、この遊技領域４ａ内に、遊技球の流下方向を変更させる多数の遊技釘８が設けられている（図４では、遊技釘８の図示を省略している）。また、図４に示すように、遊技領域４ａ上において、遊技盤面を左右に仕切る中心線上であって、中央よりもやや下部には始動入賞口９が設けられている。さらに、その中心線の左右両側であって、始動入賞口９よりも高さ方向上側に、普通図柄作動ゲート１０、１０が設けられている。
【００２８】
また、中心線上における始動入賞口９の高さ方向の下側に大入賞口１１が設けられている。さらに、始動入賞口９の側方には、一般入賞口１３ａ，１３ｂが設けられている。また、遊技領域４ａには、図柄の表示領域１６ａが設けられており、遊技領域４ａの下端部には、アウト口１４が設けられている。
【００２９】
始動入賞口９は、遊技球が入賞可能とされ、始動入賞口スイッチ９Ｓ（図６）が設けられている。始動入賞口スイッチ９Ｓは、始動入賞口９に入賞する遊技球を検出し、検出信号を主制御回路３０に入力する。始動入賞口スイッチ９Ｓが遊技球を検出すると、主制御回路３０におけるメインＣＰＵ３１が大当り判定をするための大当り判定用乱数値等を抽出する。
【００３０】
普通図柄作動ゲート１０は、遊技球が通過可能とされており、遊技球が通過したことを条件として普通図柄当り判定用乱数値を抽出するトリガーとなる通過ゲートとされている。この普通図柄当り判定用乱数値の抽出により遊技状態が普通図柄大当り遊技状態となったときに、始動入賞口９に具備されている１対の羽根（普通電動役物、チューリップ）９ａが所定秒数開閉し、入賞がしやすくなる。
【００３１】
大入賞口１１は、いわゆるアタッカー式の開閉装置であって、図示しないシャッタを有し、そのシャッタの前後方向への開閉により、入賞容易状態と入賞困難状態とが切替わるようになっている。シャッタは、軸を介して後述する大入賞口ソレノイド１１Ｌにより開閉自在に作動するようになっている。
【００３２】
大入賞口１１では、通常はシャッタが閉鎖していて、抽出された大当り判定用乱数値により、遊技状態が大当りに移行するとシャッタを開放し、その後にシャッタを閉鎖する。そして、シャッタの開放により遊技球の入賞容易状態、シャッタの閉鎖で入賞困難状態になる。また、大入賞口１１は、このシャッタに遊技球が入球（入賞）すると、所定数の遊技球（例えば１５個）が賞球として払出されるトリガーの入賞口となっている。
【００３３】
一般入賞口１３ａ，１３ｂは、遊技球が入球（入賞）すると、所定数の遊技球（例えば１０個）が賞球として払出されるトリガーとなる入賞口とされている。
【００３４】
アウト口１４は、始動入賞口９、大入賞口１１、一般入賞口１３ａ，１３ｂなどの何れにも入球しなかった遊技球を受け入れるものである。
【００３５】
また、遊技盤４は、透光性基板１５からなり、この透光性基板１５は、たとえばポリカーボネートなどの合成樹脂あるいはその他の透明な部材（透光性部材）で形成された透明部を有している。ここで、「透明な部材」とは、その部材を通して対象を視認可能な程度に光透過率が高いものをいう。本実施形態の遊技領域４ａはその大半が透明遊技領域となっている。この透光性基板１５には、図５に示すように遊技釘８が少なくともその先端部を埋設されて固定され、この透光性基板１５とフロント扉５のガラス板５ａにより形成された領域が遊技領域４ａとされている。そして、この透光性基板１５の背面側には、図２および図５に示すように、各種画像情報を表示する大画面の表示領域１６ａを有する液晶表示装置１６が配置されている。液晶表示装置１６に表示された画像は、透光性基板１５の略中央の遊技釘８が設けられていない部分と、その周辺の遊技釘８が設けられている部分を通して、遊技者がパチンコ遊技機１の正面側から視認できるようになっている。液晶表示装置１６は、本発明における順位表示手段に相当し、後述するように順位表示画像５０７ｃ（図２０参照）、ランキング表示画像６００（図２２参照）を表示するようになっている。
【００３６】
液晶表示装置１６は、図４に示すように、表示領域１６ａに、装飾図柄（飾り図柄）Ｄ、キャラクタ等の可変表示を行い、そのほか、特別図柄Ｊの背景として表示される背景画像や、キャラクタ画像も表示する。特別図柄Ｊは、本発明における識別図柄に相当し、遊技領域４ａの上側中央部分に７セグＬＥＤによって小さく可変表示され、遊技者が視認可能に表示される。７セグＬＥＤは、本発明における可変表示手段に相当する。
【００３７】
特別図柄Ｊとしては、可変表示結果として「−」、「Ｈ」、「Ｆ」の３種類の表示態様で図柄が表示される。これらの表示態様のうち、「Ｈ」、「Ｆ」が大当り図柄であり、本発明における特定表示態様に相当する。また、これら大当り図柄のうちの「Ｆ」は確変大当り図柄であり、本発明における特別表示態様に相当する。また、「Ｈ」は通常大当り図柄であり、本発明における特別態様とは異なる態様であって、特定表示態様のうちの非特別表示態様に相当する。一方、「−」ははずれ図柄となる。装飾図柄Ｄは、１桁の数字で表される右装飾図柄ＤＲ、中装飾図柄ＤＣ、および左装飾図柄ＤＬを有し、３列で表示される。右装飾図柄ＤＲ、中装飾図柄ＤＣ、および左装飾図柄ＤＬは、それぞれ複数の数字図柄（表示図柄）を備えた図柄列を構成していて、各図柄列である右装飾図柄ＤＲ、中装飾図柄ＤＣ、および左装飾図柄ＤＬにおける数字図柄の組み合わせにより、装飾図柄Ｄが構成されている。
【００３８】
パチンコ遊技機１では、右装飾図柄ＤＲ、中装飾図柄ＤＣ、および左装飾図柄ＤＬにおける数字図柄が横１列に並んだ数字列により、装飾図柄Ｄが構成されるが、もちろん、各図柄列の表示図柄が別の態様で組合されていてもよい。なお、「可変表示」とは、変動可能に表示される概念であり、たとえば、実際に変動して表示される「変動表示」、実際に停止して表示される「停止表示」等を可能とするものである。また、これらの他に、単に特別図柄が出現するように仮に停止表示される「出現表示」、特別図柄ゲームの結果として特別図柄が表示される「導出表示」等を可能とするものである。
【００３９】
装飾図柄Ｄは、特別図柄Ｊに対応しており、特別図柄Ｊが「−」のときはゾロ目でない３桁の数字列（はずれ対応図柄）の停止表示、特別図柄Ｊが「Ｈ」のときは偶数ゾロ目（大当り対応図柄）の停止表示、特別図柄Ｊが「Ｆ」のときは奇数ゾロ目数字列（大当り対応図柄）の停止表示になる。普通図柄Ｎは、遊技球の普通図柄作動ゲート１０の通過により抽出された普通図柄当り判定用乱数値に基づく普通図柄当り判定の判定結果に応じてＬＥＤにより表示され、普通図柄当り判定で当りと判定されると、普通図柄Ｎが当りの態様で点灯（例えば赤色のＬＥＤが点灯）し、始動入賞口９に具備されている羽根９ａが所定秒数間開放される。
【００４０】
透光性基板１５は、その全部を透明部とする必要はなく、光透過率が低い部分や光透過率が０の領域を部分的に有する態様としてもよい。光透過率を低くしたり０にする手段としては、上記背面のセルシートの他に、表面に塗装、もしくは物理的蒸着法、化学的蒸着法等を施して模様層、色彩層を形成したり、あるいは、基材となる合成樹脂に染料や顔料を含浸させて、光透過率を低下させたものであってもよい。
【００４１】
さらに、パチンコ遊技機１は、図２に示すように、液晶表示装置１６の上方に、所定の態様で音声を出力する報知手段としてのスピーカ１８Ｌ，１８Ｒと、図１に示すように、所定の態様で点灯・消灯して報知する報知手段としての装飾ランプ１９Ｌ，１９Ｒを有している。さらに、パチンコ遊技機１は、上述したカードユニット８４により貸し出された遊技球および始動入賞口９、大入賞口１１、一般入賞口１３ａ，１３ｂへの入球（所定の条件）により払出媒体に相当する獲得賞球を上皿６ａに払い出す払出装置８１（図６参照）等を具備している。
【００４２】
また、パチンコ遊技機１は、図３に示すように、背面側に主制御回路３０を備える主制御基板２１と、副制御回路４０を備える副制御基板２２とを有し、遊技球の払出・発射を制御する払出・発射制御回路８０を備える払出・発射制御基板２３、電源を供給する電源供給ユニット２４、電源スイッチ２５、バックアップクリアスイッチ２６が、それぞれ配置されている。
【００４３】
さらに、遊技領域４ａの上部には、保留玉数を報知する４つの特別図柄保留ランプＲ１〜Ｒ４が設けられており、左側の２つの特別図柄保留ランプＲ１，Ｒ２と右側の２つの特別図柄保留ランプＲ３，Ｒ４との間には、特別図柄Ｊおよび普通図柄Ｎを表示する図柄表示部１６ｂが設けられている。普通図柄Ｎは、特別図柄Ｊの表示位置の側方に配置されたＬＥＤランプの色によって表示される。さらに、図柄表示部１６ｂと表示領域１６ａの間には、普通図柄保留ランプｒ１〜ｒ４が設けられている。
【００４４】
図６は、図１〜図５に示すパチンコ遊技機１の内部の構成を中心に示すブロック構成図である。パチンコ遊技機１は、上述した主制御回路３０、副制御回路４０、払出・発射制御回路８０、電源供給ユニット２４を中心に複数の構成要素を有し、この電源供給ユニット２４は、主制御回路３０、副制御回路４０および払出・発射制御回路８０にそれぞれ接続され各々への電力供給が可能とされている。主制御回路３０は、メインＣＰＵ（Central  Processing  Unit）３１、メインＲＯＭ(Read  Only  Memory)３２およびメインＲＡＭ（Random  Access  Memory）３３を有し、他に初期リセット回路３４とコマンド出力ポート３５を有している。
【００４５】
メインＣＰＵ３１は、カウントスイッチ１１ＣＳなどから遊技球の検出信号を入力する一方、メインＲＯＭ３２に記憶されている制御プログラムにしたがい作動して、パチンコ遊技機１における大当り抽選や、賞球排出といったパチンコ遊技機１全体の動作制御を司り、コマンド出力ポート３５を介して副制御回路４０に各種のコマンドを送信する。またメインＣＰＵ３１は、後述する大当り判定処理で大当りと判定すると、図柄コマンドを送信して後述する大当り図柄の決定処理で決定した大当り図柄（「Ｆ」、「Ｈ」）を特別図柄Ｊとして７セグＬＥＤに所定時間表示させる制御を行い、はずれと判定するとはずれ図柄の決定処理で決定したはずれ図柄（「−」）を７セグＬＥＤに表示させる制御を行う。そしてメインＣＰＵ３１は、大当り抽選の結果や遊技状態を消化したか否かなどにより、遊技状態を通常遊技状態から大当り遊技状態（大当り）へ移行させるか否かを判定し、その判定結果に基づき、遊技状態を通常遊技状態から大当り遊技状態（大当り）へ移行させる大当り移行制御手段を構成している。
【００４６】
メインＲＯＭ３２には、メインＣＰＵ３１が実行する制御プログラムと、恒久的なデータが記憶されている。メインＲＡＭ３３はメインＣＰＵ３１が作動する際に用いるデータやプログラムが一時的に記憶されるようになっている。初期リセット回路３４は、リセット信号をメインＣＰＵ３１に定期的に出力する。このリセット信号により、メインＣＰＵ３１は制御プログラムの先頭から処理を実行する。
【００４７】
また、主制御回路３０には、カウントスイッチ１１ＣＳをはじめとする各スイッチ等が接続されている。カウントスイッチ１１ＣＳは大入賞口１１に入賞した遊技球の個数を計測し、計測結果を示す検出信号を主制御回路３０に出力する。
【００４８】
一般入賞口スイッチ１３Ｓは各一般入賞口１３ａ，１３ｂに入賞した遊技球の検出信号を主制御回路３０に出力する。作動ゲートスイッチ１０Ｓは普通図柄作動ゲート１０を通過する遊技球の検出信号を主制御回路３０に出力する。始動入賞口スイッチ９Ｓは始動入賞口９に入賞した遊技球の検出信号を主制御回路３０に出力する。
【００４９】
始動口ソレノイド９Ｌは始動入賞口９に設けられた１対の羽根９ａ，９ａを開閉させ、大入賞口ソレノイド１１Ｌは大入賞口１１のシャッタを開閉させる。バックアップクリアスイッチ２６は、電断時等におけるバックアップデータを操作者の操作に応じてクリアする。
【００５０】
パチンコ遊技機１では、遊技球の入賞が検出されて始動入賞口スイッチ９Ｓが検出信号を出力したときに乱数抽出および抽出した乱数を用いた抽選処理を行わせ、その抽選結果に基づき、主制御回路３０から副制御回路４０に図柄コマンドを出力して、副制御回路４０に液晶表示装置１６における装飾図柄を決定させている。
【００５１】
メインＣＰＵ３１は、大当りとなったときに大入賞口ソレノイド１１Ｌに駆動信号を出力することによって、大入賞口１１を開放させる。また、大入賞口１１を開放させると、所定数（例えば１０個）の遊技球の入賞または所定時間（例えば３０秒）の経過を条件として閉鎖させる。
【００５２】
副制御回路４０は、主制御回路３０からコマンドを入力し、その入力したコマンドにしたがい、液晶表示装置１６を用いた装飾図柄の可変表示や、大当り遊技の演出（大当り演出）、リーチ演出、予告演出といった各種の演出制御を行う。また、副制御回路４０は、液晶表示装置１６の表示を制御する表示制御手段を構成し、液晶表示装置１６に画像を表示させる。さらに、副制御回路４０は、スピーカ１８Ｌ、１８Ｒを用いた音声出力による演出や装飾ランプ１９Ｌ、１９Ｒを用いた点滅表示による演出を行うのに必要な制御も行う。
【００５３】
副制御回路４０は、サブＣＰＵ４１を中心に構成され、サブＲＯＭ４２と、サブＲＡＭ４３およびコマンド入力ポート４８を有し、画像制御回路５０と、音声制御回路６０、およびランプ制御回路７０を有し、操作手段に相当する演出ボタン２０ｄが接続されている。
【００５４】
サブＣＰＵ４１は、主制御回路３０から入力したコマンドにしたがいサブＲＯＭ４２に記憶されているプログラムに沿った処理を実行し、画像制御回路５０、音声制御回路６０およびランプ制御回路７０を作動させる一方、選択ボタン２０ｂ，２０ｃからの信号にしたがい処理を実行する。更に、演出ボタン２０ｄからの信号にしたがい後述するようにランキング表示画像を液晶表示装置１６に表示させるためのデータをセットする。サブＲＯＭ４２にはサブＣＰＵ４１が実行するプログラムと恒久的なデータが記憶されている（例えば、装飾図柄Ｄのデータを記憶する図柄記憶手段としての機能を有している）。また、サブＲＡＭ４３はサブＣＰＵ４１が作動する際に用いるデータやプログラムが記憶され、本発明における連続大当り回数記憶手段として機能している。
【００５５】
画像制御回路５０は、ＶＤＰ（Video  Display  Processor）５１と、Ｄ／Ａコンバー
タ５２と、初期リセット回路５３と、画像データＲＯＭ（画像記憶手段）５４ａ，５４ｂとを有している。ＶＤＰ５１は、サブＣＰＵ４１で決定された液晶表示装置１６に表示させる内容に応じた画像を形成し、その形成された画像をＤ／Ａコンバータ５２に出力する。Ｄ／Ａコンバータ５２はＶＤＰ５１から出力される画像データをＤ／Ａ変換して、変換により得られたアナログ信号を液晶表示装置１６に出力し、画像を表示させる。初期リセット回路５３はサブＣＰＵ４１からのリセット命令を受けて、ＶＤＰ５１を初期状態に戻す処理を実行する。画像データＲＯＭ５４ａには装飾図柄、キャラクタを示す画像、後述する順位表示画像、ランキング表示画像のデータと、特別図柄Ｊの背景として表示される背景画像の画像データが記憶され、画像データＲＯＭ５４ｂには、各種画像データを液晶表示装置１６に表示させるための画像データが記憶されている。
【００５６】
音声制御回路６０は、音源ＩＣ６１と、アンプ（ＡＭＰ）６２と、音声データＲＯＭ６３とを有している。音源ＩＣ６１は、サブＣＰＵ４１からの指示にしたがい、音声データＲＯＭ６３に記憶されている音声データを用いて音声信号を生成する。アンプ（ＡＭＰ）６２は、音源ＩＣ６１により生成された音声信号を適切なレベルに増幅し、増幅した音声信号をスピーカ１８Ｌ、１８Ｒに供給して音声を出力させる。音声データＲＯＭ６３は予告演出、リーチ演出、大当り演出などの各種演出に用いられる音楽、音声、効果音などのデータ（音声データ）を記憶している。
【００５７】
ランプ制御回路７０は、装飾ランプ１９Ｌ、１９Ｒの点滅パターンを示す装飾データを記憶した装飾データＲＯＭ７１と、サブＣＰＵ４１からの指示にしたがい、装飾データＲＯＭ７１に記憶されている装飾データを用いて装飾ランプ１９Ｌ、１９Ｒを点滅させるドライブ回路７２とを有している。
【００５８】
払出・発射制御回路８０は、主制御回路３０の制御にしたがい払出装置８１を作動させて所定数の遊技球を賞球として払出させて、大入賞口１１に遊技球が入賞した際に賞球を払い出す。また、払出・発射制御回路８０は、発射ハンドル６ｃと、発射モータを有する発射装置とを作動させ、発射装置によって遊技球を遊技盤４上の遊技領域４ａに向けて発射させる。
【００５９】
電源供給ユニット２４は、副制御回路４０、主制御回路３０および払出・発射制御回路８０への電力供給を行う。
【００６０】
（遊技状態の説明）
パチンコ遊技機１は、通常遊技状態、特定遊技状態（大当り）、特別遊技状態としての確変遊技状態、時短遊技状態で遊技を行える。また、大当りとして、確変特定遊技状態（確変大当り）および非確変特定遊技状態（通常大当り）がある。確変大当りは、大当り終了後に確変遊技状態へ移行可能となる大当りであり、通常大当りは、大当りの終了後に時短遊技状態となる大当りである。そして時短遊技状態が終了すると通常遊技状態となる。
【００６１】
また、確変遊技状態は、通常遊技状態よりも特別図柄Ｊの可変表示結果が大当り図柄（「Ｆ」、「Ｈ」）になる確率が高くなって大当りに移行しやすい遊技状態である。また、時短遊技状態は、特別図柄Ｊの可変表示される時間が通常遊技状態よりも短縮される遊技状態である。なお、時短遊技状態では、所定の始動条件が成立したときに開始される普通図柄Ｎの変動表示時間を短縮し、かつ始動入賞口９に具備されている一対の羽根９ａの開放パターンを遊技球が始動入賞口９に入賞しやすい状態にしている。
【００６２】
（パチンコ遊技機の動作内容）
次に、パチンコ遊技機１の動作内容のうち、主制御回路３０および副制御回路４０による制御処理の手順について、図８〜図１９までのフローチャートを参照して説明する。図８はパチンコ遊技機１において、電源を投入したあとに主制御回路３０により繰返し実行されるメイン制御処理の動作手順を示すフローチャート（メインフローチャート）である。なお、図８〜図１９では、ステップをＳと略記している。
【００６３】
図８に示すように、パチンコ遊技機１は、電源投入に伴い主制御回路３０のメインＣＰＵ３１がメイン制御処理を開始し、ステップ１〜４までの各ステップを順次実行して、初期設定処理、特別図柄制御処理、普通図柄制御処理および乱数更新処理を順次実行する。以後、このステップ２〜４を電源が投入されている間、順次実行する繰返ルーチンに進む。なお、このメイン制御処理には、主として、メイン制御処理で用いられる乱数を更新するため、割込許可フラグの設定を条件に定期的（例えば２ｍｓごと）にシステムタイマ割込み処理が割込んで実行される。このシステムタイマ割込処理のコマンド出力処理により、図柄コマンド、変動パターンコマンド等の各種コマンドが主制御回路３０から副制御回路４０に出力される。
【００６４】
（特別図柄制御処理）
続いて、メイン制御処理（図８）において行われる特別図柄制御処理の詳細について説明する。特別図柄制御処理は、前述したように図９に示すフローチャートに沿って行われ、特別図柄制御処理が開始されると、ステップ１１〜２０までの各ステップを順次実行する。
【００６５】
特別図柄制御処理が開始されると、ステップ１１に進み、制御状態フラグをロードする。この制御状態フラグは、液晶表示装置１６における図柄の可変表示画像を用いた特別図柄ゲームの状態を示し、メインＣＰＵ３１がステップ１２〜２０までのいずれを実行するかを判定するためのデータが設定されている。
【００６６】
次に、ステップ１２に進み、特別図柄記憶チェック処理が行われる。特別図柄記憶チェック処理は図１０に示すフローチャートに沿って行われる。メインＣＰＵ３１は処理を開始するとステップ２１に進んで制御状態フラグが特別図柄記憶チェックを示す“００”か否かを判断し、“００”でなければ特別図柄記憶チェック処理を終了する。また、“００”ならステップ２２に進んで保留個数が“０”か否かを判定し、保留個数が“０”ならステップ２３に進み、デモ表示コマンドを送信コマンドにセットするデモ表示処理を行って処理を終了する。一方、保留個数が“０”でなければ、ステップ２４に進んで制御状態フラグに特別図柄変動時間管理を示す“０１”をセットする。
【００６７】
次にステップ２５に進み、メインＣＰＵ３１は、高確率中フラグに“１”がセットされているか否かを判定し、“１”がセットされていないきはステップ２６に進んで通常大当り判定用前処理を行い、“１”がセットされているときはステップ２７に進んで高確率大当り判定用前処理を行う。ここで通常大当り判定用前処理では、遊技態様が通常遊技態様から特定遊技態様（大当り）に移行する確率が通常の確率となっている大当り判定テーブルが選択され、高確率大当り判定用前処理では、通常遊技態様から特定遊技態様（大当り）に移行する確率が高くなっている高確大当り判定テーブルが選択される。そして遊技球が始動入賞口９へ入賞したときに抽出された大当り判定用乱数値を用いてそれぞれ選択された大当り判定テーブルがサーチされる。
【００６８】
それから、ステップ２８に進み、大当り判定テーブルのサーチ結果に基づいて、大当りか否かを判定する大当り判定処理が行われる。ここで、大当りならステップ２９に進んで大当り図柄の決定処理を行い、大当りでなければステップ３０に進んではずれ図柄の決定処理が行われる。
【００６９】
大当り図柄の決定処理では、メインＣＰＵ３１は、大当り図柄用乱数値（図示しない）と、後述する特別図柄決定テーブルとから特別図柄Ｊを決定し、さらに、決定した特別図柄Ｊに対応する図柄コマンドを副制御回路４０への送信コマンドにセットする。ここで、特別図柄Ｊとして「Ｈ」が決定されると、図柄コマンドとしてｚ１がセットされ、特別図柄Ｊとして「Ｆ」が決定されると、図柄コマンドとしてｚ２がセットされる。そして特別図柄決定テーブルは、図７に示すように、図柄コマンドと、特別図柄の種類とを関連付けて記憶している。本実施の形態におけるパチンコ遊技機１では、ラウンド数の多い（本実施の形態では１５回）確変大当りとラウンド数の少ない（本実施の形態では２回）通常大当りとがあり、図柄コマンドおよび特別図柄とに関連して、大当りの内容を示すと、図７のようになる。また、はずれ図柄の決定処理では、はずれ図柄として「−」、図柄コマンドとしてｚ０がセットされる。
【００７０】
その後、メインＣＰＵ３１は、ステップ３０に進むと時短中フラグに“１”がセットされているか否かを判定し、“１”がセットされていないときはステップ３１に進んで通常変動パターン決定を行い、“１”がセットされているときはステップ３２に進んで時短変動パターン決定を行う。ステップ３１，３２では、図示しない変動パターンテーブルがサーチされ、乱数値に対応する変動パターンコマンドが決定されて副制御回路４０に送信される。そして後続のステップ３３に進むとメインＣＰＵ３１は、決定された変動パターンに対応する変動時間を待ち時間タイマ（ｔ）にセットして特別図柄記憶チェック処理が終了する。ここで通常変動パターン決定で決定された変動パターンに対応する変動時間に比べ、時短変動パターン決定で決定された変動パターンに対応する変動時間の方が短くなっており、時短中フラグに“１”がセットされているときの方が特別図柄Ｊの変動時間が短縮されるようになっている。
【００７１】
そして図９に示すように特別図柄記憶チェック処理に続いてステップ１３に進み、特別図柄変動時間管理処理が行われる。特別図柄変動時間管理処理は、制御状態フラグが特別図柄変動時間管理を示す“０１”のときに以下の処理が行われ、“０１”でなければ以下の処理が行われないようになっている。すなわち、メインＣＰＵ３１は、変動時間に対応する待ち時間タイマ（ｔ）が０になったときに、制御状態フラグに特別図柄表示時間管理を示す“０２”をセットし、確定後待ち時間（例えば１秒）が待ち時間タイマ（ｔ）にセットされると特別図柄変動時間管理処理が終了する。
【００７２】
特別図柄変動時間管理処理が終了すると後続のステップ１４に進み、特別図柄表示時間管理処理が行われる。特別図柄表示時間管理処理は図１１に示すフローチャートに沿って行われる。メインＣＰＵ３１は処理を開始するとステップ３５に進んで制御状態フラグが特別図柄表示時間管理を示す“０２”か否かを判定し、“０２”でなければ特別図柄表示時間管理処理を終了し、“０２”ならステップ３６に進み、確定後待ち時間に対応する待ち時間タイマ（ｔ）が“０”か否かを判定する。ここで待ち時間タイマ（ｔ）が“０”でなければ特別図柄表示時間管理処理が終了し、“０”であればステップ３７に進んでステップ２８（図１０参照）の結果が大当りか否かを判定する。
【００７３】
ステップ３７で大当りでないと判定されると、ステップ３８、ステップ３９に進み、メインＣＰＵ３１は、後述する時短終了判定処理を行った後に制御状態フラグに特別図柄ゲーム終了を示す“０８”をセットして特別図柄表示時間管理処理を終了する。一方、ステップ３７で大当りであると判定されると、ステップ４０に進み、制御状態フラグに大当り開始インターバル管理を示す“０３”をセットする。続くステップ４１に進むと、メインＣＰＵ３１は、大当りに移行したことによって確変遊技状態が終了したとして高確率中フラグに“０”をセットし、また、大当りに移行したことによって時短遊技状態が終了したとして時短中フラグに“０”をセットするとともに時短回数カウンタに“０”をセットする。そして後続のステップ４２に進むと大当り開始インターバルに対応する時間を待ち時間タイマ（ｔ）にセットしてステップ４３に進み、大当り開始コマンドを副制御回路４０への送信コマンドにセットして特別図柄表示時間管理処理が終了する。
【００７４】
時短終了判定処理（ステップ３８）は、図１２に示すフローチャートに沿って実行される。時短終了判定処理が開始するとステップ５１に進み、メインＣＰＵ３１は、時短中フラグに“１”がセットされているか否かの判定を行う。ここで“１”がセットされていなければ時短終了判定処理が終了し、セットされているときはステップ５２に進む。ステップ５２に進むと時短回数カウンタから“１”が減算され、後続のステップ５３に進むと時短回数カウンタが“０”か否かの判定が行われ、“０”でないときは時短終了判定処理が終了し、“０”のときはステップ５４に進む。ステップ５４に進むと特別図柄Ｊの可変表示回数が予め定められた時短上限回数に相当する“１００回”に達したとして時短遊技状態を終了させるために時短中フラグに“０”をセットするとともに低確率中コマンドを副制御回路４０への送信コマンドにセットして時短終了判定処理が終了する。
【００７５】
図９に戻り、後続のステップ１５に進むと、大当り開始インターバル管理処理が行われる。この大当り開始インターバル管理処理では、制御状態フラグが大当り開始インターバル管理を示す“０３”のときに、大当り開始対応時間だけ待機して大入賞口１１を開放させる。また、メインＣＰＵ３１は大入賞口開放中を示す“０４”を制御状態フラグにセットし、開放上限時間（例えば３０秒）を大入賞口開放時間タイマにセットすると、大当り開始インターバル管理処理が終了する。
【００７６】
後続のステップ１６に進むと、大入賞口開放中処理が行われる。大入賞口開放中処理では、制御状態フラグが大入賞口開放中を示す“０４”のときに以下の処理が行われ、“０４”でなければ以下の処理が行われないようになっている。すなわち、メインＣＰＵ３１は、大入賞口入賞カウンタが最大入賞個数（例えば、“１０”）以上であることと、開放上限時間を経過したこと（大入賞口開放時間タイマが“０”か）とのいずれかを満たすときに、制御状態フラグに大入賞口内残留球監視を示す“０５”をセットし、大入賞口１１を閉鎖する処理を行い、さらに、大入賞口内残留球監視時間を経過したのち、ステップ１７を実行するように、大入賞口内残留球監視時間（例えば１秒）を待ち時間タイマ（ｔ）にセットする。いずれも満たしていないと判定されるときは、上述の処理を実行することなくステップ１７に進む。
【００７７】
後続のステップ１７に進むと、大入賞口内残留球監視処理が行われる。大入賞口内残留球監視処理が開始すると、制御状態フラグが大入賞口内残留球監視を示す“０５”のときに以下の処理が行われ、“０５”でないときは大入賞口内残留球監視処理が終了する。すなわち、待ち時間タイマ（ｔ）が“０”のときに、大入賞口１１への入賞の有無が判定される。そして入賞が無いときには制御状態フラグに大当り終了インターバルを示す“０７”のセット、大当り終了コマンドの送信コマンドへのセット、大当り終了インターバルに対応する時間の待ち時間タイマ（ｔ）へのセットが行われて大入賞口内残留球監視処理が終了する。一方、入賞があるときには大入賞口の開放回数が最大開放回数（１５回）以上であるか否かが判断される。そして最大開放回数以上のときは入賞が無いときと同様の処理が行われ、最大開放回数未満のときは制御状態フラグへの大入賞口再開放待ち時間管理を示す“０６”のセット、ラウンド間インターバルに対応する時間の待ち時間タイマ（ｔ）へのセットが行われて大入賞口内残留球監視処理が終了する。
【００７８】
続くステップ１８に進むと、大入賞口再開放前待ち時間管理処理が行われる。大入賞口再開放前待ち時間管理処理では、制御状態フラグが大入賞口再開放前待ち時間管理を示す“０６”のときに以下の処理が行われ、“０６”でなければ以下の処理が行わないようになっている。すなわちメインＣＰＵ３１は、ラウンド間インターバルに対応する待ち時間が“０”のときに大入賞口開放回数カウンタに“１”加算する。そして大入賞口の開放設定、大入賞口開放中を示す“０４”の制御状態フラグへのセット、大入賞口開放時間タイマ（ｓ）のセットが行われて大入賞口再開放前待ち時間管理処理が終了する。
【００７９】
後続のステップ１９に進むと、大当り終了インターバル処理が行われる。大当り終了インターバル処理は図１３に示すフローチャートに沿って実行される。メインＣＰＵ３１は、ステップ７１に進むと制御状態フラグに大当り終了インターバルを示す“０７”がセットされているか否かの判定を行い、“０７”がセットされていないときは大当り終了インターバル処理が終了し、セットされているときはステップ７２に進む。ステップ７２に進むと、大当り終了インターバルに対応する待ち時間タイマ（ｔ）が“０”のときにステップ７３に進み、“０”でないときは大当り終了インターバル処理が終了する。ステップ７３に進むと制御状態フラグに特別図柄ゲーム終了を示す“０８”がセットされる。
【００８０】
続くステップ７４に進むとメインＣＰＵ３１は、大当り図柄が確変図柄か否か、つまり識別図柄としての特別図柄Ｊが特別表示態様としての「Ｆ」であるか、または非特別表示態様としての「Ｈ」であるかを判定し、大当り図柄が確変図柄であるとき（特別図柄Ｊが「Ｆ」のとき）はステップ７５に進み、確変図柄でないとき（特別図柄Ｊが「Ｈ」のとき）はステップ７６に進む。ステップ７５に進むと、メインＣＰＵ３１は、本発明における特別遊技制御手段として作動し、大当り終了後の遊技状態を大当りに移行しやすい遊技状態、つまり特別図柄Ｊの可変表示結果が特定表示態様になる確率が高くなる確変遊技状態（特別遊技状態）とするために高確率中フラグに“１”をセットし、さらに高確率コマンドを副制御回路４０への送信コマンドにセットして大当り終了インターバル処理が終了する。一方、ステップ７６に進むと、メインＣＰＵ３１は、本発明における時短遊技制御手段として作動し、大当り終了後の遊技状態を時短遊技状態、つまり特別図柄Ｊの可変表示される時間が短縮される遊技状態とするために時短中フラグに“１”をセットし、さらに時短コマンドを副制御回路４０への送信コマンドにセットし、時短回数カウンタに“１００”をセットして大当り終了インターバル処理を終了する。本実施の形態では、遊技状態が確変遊技状態、または時短遊技状態であることが本発明における所定の連続大当り条件となっている。そのため、連続大当り条件の成否は、副制御回路４０に送信される確変コマンド、または時短コマンドの有無に基づいてセットされる後述する連チャン中フラグの値によって判定される。
【００８１】
図９に戻り、後続のステップ２０に進むと、特別図柄ゲーム終了処理が行われる。ここでは、制御状態フラグが特別図柄ゲーム終了処理を示す“０８”であるときに以下の処理が行われ、“０８でなければ行われないようになっている。メインＣＰＵ３１は、保留個数を示すデータを”１”減らすように更新する。そして制御状態フラグに特別図柄記憶チェックを示す“００”がセットされると、さらに今回の変動に用いられた記憶領域のクリアを行い、特別図柄ゲーム処理が終了する。
以上をもってステップ２（図８参照）の特別図柄制御処理が終了する。
【００８２】
（普通図柄制御処理の動作手順）
以上で特別図柄制御処理が終了し、続いて、液晶表示装置１６に表示される普通図柄Ｎに関する普通図柄制御処理が行われる。普通図柄制御処理は、図１４に示すフローチャートに沿って行われ、ステップ１５１からステップ１５６の処理が順次実行される。ステップ１５１では、普通図柄制御状態フラグのロードが行われ、続くステップ１５２では、普通図柄記憶チェック処理が行われる。
【００８３】
普通図柄記憶チェック処理では、遊技球の普通図柄作動ゲート１０の通過により抽出された普通図柄当り判定用乱数値に基づき、メインＣＰＵ３１が普通図柄当り判定を行い、判定結果に基づいて普通図柄の停止図柄をセットする。普通図柄当り判定用乱数値が所定の当り判定値と一致したときが当りになり、当りフラグに“７７”がセットされる。その後に時短中フラグに“１”がセットされているか否かが判定され、“１”であるときはメインＣＰＵ３１が変動表示時間に対応する待ち時間タイマに “５．１秒”をセットし、“１”でないときは“３０秒”をセットする。このように、時短中フラグに“１”がセットされているときは、“３０秒”よりも短い“５．１秒”がセットされ、普通図柄の変動表示時間が短縮される。
【００８４】
後続のステップ１５３に進むと普通図柄待ち時間タイマが“０”のときに確定待ち時間（０．５秒）を示すデータを待ち時間タイマにセットする普通図柄変動時間監視処理が行われる。
【００８５】
続くステップ１５４に進むと普通図柄表示時間監視処理が行われる。普通図柄表示時間監視処理では、当りフラグが“７７”か否かの判定が行われ、“７７”のときには、時短中フラグに“１”がセットされているか否かの判定が行われる。そして“１”がセットされていないときは、始動入賞口９の開放パターンを例えば０．３秒間の開放を１回にするデータがセットされ、“１”がセットされているときには、例えば１．８秒間の開放を３回にするデータがセットされる。それにより、遊技状態が時短遊技状態（時短中フラグに“１”がセットされた状態）であるときにおける始動入賞口９（普通電動役物）の開放パターンが、通常遊技状態のときよりも始動入賞口９に遊技球が入賞しやすくなり、これにより遊技状態が通常遊技状態から大当り遊技状態に移行しやすくなっている。
【００８６】
続くステップ１５５に進むと始動口ソレノイド９Ｌを駆動させる指示を出力して始動入賞口９を開放させる普通電動役物開放処理が行われ、後続のステップ１５６に進むと普通図柄記憶領域のデータのシフト、制御状態フラグへの普通図柄記憶チェックを示す“００”のセットが行われる普通図柄ゲーム終了処理が実行されて普通図柄制御処理が終了する。
【００８７】
ステップ３に続いてステップ４に進み、乱数更新処理を行う。ここでは、はずれ図柄用乱数値、リーチ判定用乱数値、演出条件選択用乱数値などを所定の演算方法により更新する乱数更新処理を行って処理を終了する。そして、ステップ２に戻り繰返しルーチンが繰り返し行われる。
【００８８】
（副制御回路の動作手順）
次に、副制御回路４０の動作について説明する。副制御回路４０では、主制御回路３０から送信されたコマンドを受信することにより、図柄の表示制御、音声制御およびランプ制御等を行う。図１５は、副制御回路４０により繰返し実行されるサブ制御処理の手順を示すフローチャートである。
【００８９】
図１５に示すように、サブＣＰＵ４１は、ステップ２０１〜２０７までを順次実行し、初期化処理、乱数更新処理、コマンド解析制御処理、演出ボタン入力検出処理、表示制御処理、音声制御処理およびランプ制御処理を行う。そして、ステップ２０２〜２０７までが繰返し実行される。
【００９０】
初期化処理および乱数更新処理が終了すると、図１６に示すフローチャートに沿ってコマンド解析制御処理が行われる。コマンド解析制御処理を開始するとステップ２１１に進み、サブＣＰＵ４１は、主制御回路３０からの受信コマンドがあるか否かを判定し、受信コマンドが無ければコマンド解析制御処理を終了する。一方、サブＣＰＵ４１は、受信コマンドがあれば後続のステップ２１２、ステップ２２２、ステップ２３２、ステップ２４２、ステップ２５２のいずれかに進み、受信コマンドが大当り開始コマンドか否か、高確率コマンドか否か、時短コマンドか否か、低確率コマンドか否かを判定して各コマンドに応じた処理を実行し、それ以外のコマンドと判定したときにはステップ２５２に進んでコマンド対応処理を実行する。以下、高確率コマンド、または時短コマンドを受信した場合（ステップ２２２、ステップ２３２）、大当り開始コマンドを受信した場合（ステップ２１１）、低確率コマンドを受信した場合（ステップ２４２）の順番に説明する。
【００９１】
受信コマンドが高確率コマンドと判定されるときはステップ２２３に進んで確変中報知データがセットされた後にステップ２２４に進む。一方、受信コマンドが時短コマンドと判定されるときはステップ２３３に進んで時短中報知データがセットされ、またサブ用時短回数カウンタに“１００”がセットされてステップ２２４に進む。
ここで本実施の形態では、連続大当り条件が成立しているときとは、遊技状態が確変遊技状態または時短遊技状態のときであり、メインＣＰＵ３１によって高確率中フラグまたは時短中フラグに“１”がセットされているときである。そして高確率中フラグがセットされるときに高確率コマンドがセットされて（ステップ７５）サブＣＰＵ４１に高確率コマンドが送信され、時短中フラグがセットされるときに時短コマンドがセットされて（ステップ７６）サブＣＰＵ４１に時短コマンドが送信されるように制御されている。そのため、サブＣＰＵ４１は、高確率コマンドまたは時短コマンドを受信したときは、所定の連続大当り条件の成否を判定するための判定要素となる連チャンフラグに“１”がセットされているか否かを判定し、未だに“１”がセットされていないときはステップ２２５に進んで連チャンフラグに“１”をセットしてコマンド解析処理が終了する。
【００９２】
また、ステップ２１２に進んで受信コマンドが大当り開始コマンドと判定されるとステップ２１３に進む。ここで大当り開始コマンドを受信したときは、特別図柄Ｊの可変表示結果が特定表示態様（「Ｈ」または「Ｆ」）になったときである。
ステップ２１３に進むと、サブＣＰＵ４１が、本発明における連続大当り判定手段として作動して連続大当り条件の成否を判定し、連続大当り条件が成立するときはステップ２１５に進み、連続大当り条件が不成立のときは本発明における初当り判定手段として作動して初当りと判定してステップ２１４に進む。ここで連続大当り条件の成否は、連チャン中フラグに“１”がセットされているか否かによって判定され、“１”がセットされているときは連続大当り条件が成立していると判定され、“１”がセットされていないときは連続大当り条件が不成立である。この場合、サブＣＰＵ４１は初当りと判定する。このようにサブＣＰＵ４１は、大当り開始コマンドを受信したときに、連チャン中フラグに“１”がセットされているかいないかによって連続大当たり条件か初当りかを判定するようになっている。
【００９３】
ステップ２１４、ステップ２１５に進むと、サブＣＰＵ４１は、本発明における連続大当り回数計数手段として作動する。ここでステップ２１４に進むと、サブＣＰＵ４１は、初当りの判定毎の連続大当り回数を計数するために連チャン回数カウンタに“０”をセットし、計数開始の起算時を設定する。そして後続のステップ２１５に進むと、サブＣＰＵ４１は、連チャン回数カウンタに“１”を加算する。そしてステップ２１３で連続大当り条件が成立すると判定されて（初当りと判定されることなく）ステップ２１５に進み、連チャン回数カウンタに“１”が加算されたときは連続大当たりになっているときであるから、連チャン回数カウンタの値が本発明における連続大当り回数に相当する。
後続のステップ２１６に進むとサブＣＰＵ４１は、大当り開始を報知する画像（例えば、装飾図柄Ｄの各数字図柄の「ぞろ目」の表示とともに「大当り」というメッセージを示す画像）を液晶表示装置１６に表示させるための大当り開始演出データをセットしてコマンド解析制御処理を終了する。
【００９４】
また、ステップ２４２に進んで受信コマンドが低確率コマンドと判定されたときはステップ２４３に進む。本実施の形態では、所定の連続大当り条件が終了するときとは、時短遊技状態が終了するときであり、メインＣＰＵ３１が時短中フラグに“０”をセットするとき（ステップ５４）である。そしてメインＣＰＵ３１は、時短中フラグに“０”をセットするときに低確率コマンドがセットされて（ステップ５４）サブＣＰＵ４１に送信する制御を行っている。サブＣＰＵ４１は低確率コマンドを受信するとステップ２４３に進み、所定の連続大当り条件が不成立となったことを示すために連チャン中フラグに“０”をセットする。
【００９５】
後続のステップ２４４に進むと、サブＣＰＵ４１は、連チャン回数カウンタの値を初当り毎の連チャン回数としてサブＲＡＭ４１に記憶する。ここで連チャン回数が本発明における連続大当り回数に相当し、サブＲＡＭ４１が本発明における連続大当り回数記憶手段に相当する。そしてサブＣＰＵ４１は、例えば、ステップ２１４で連チャン回数カウンタに“０”がセットされた時間（初当り時刻）によって今回の初当りと他の初当りとを区別可能とし、初当り時刻に対応させて連チャン回数の値をサブＲＡＭ４３に記憶している。以下の説明では、順位が特定されていない連チャン回数（初当りを起点として計数される連チャン回数）を計数連チャン回数という。
【００９６】
後続のステップ２４５、ステップ２４６に進むと、サブＣＰＵ４１は、本発明における順位特定手段として作動し、連チャン回数比較、連チャン順位特定を行う。ここでサブＣＰＵ４１は、サブＲＡＭ４３に記憶されている計数連チャン回数を読み出し、さらにサブＲＡＭ４３に記憶されている順位確定済の連チャン回数（多さの昇順に並ぶ第１位から第５位までの連チャン回数カウンタの値）を読み出して、第１位から順番に大小（回数が多いか少ないか）の比較を行う。そして、ステップ２４７に進むと、サブＣＰＵ４１は、比較される連チャン回数（サブＲＡＭ４３から読み出した順位確定済の連チャン回数）に、計数連チャン回数よりも少ない連チャン回数があったときには、その連チャン回数の順位を計数連チャン回数の順位とする順位特定処理を行う。また、第１位から第５位までの順位確定済みの連チャン回数の総てが、計数連チャン回数よりも少ないときには計数連チャン回数を順位外とする特定処理を行う。
【００９７】
後続のステップ２４７に進むと、連チャン順位記憶処理が行われる。連チャン順位記憶処理でサブＣＰＵ４１は、初当り時刻、計数連チャン回数とその順位（ステップ２４６で特定した順位）とを対応させてサブＲＡＭ４３に記憶させる。そして既に順位が特定された状態でサブＲＡＭ４３に記憶されている連チャン回数のうち、計数連チャン回数よりも回数の少ない連チャン回数の順位を繰り下げてサブＲＡＭ４３に記憶させる。このようにステップ２４７では、低確率コマンドが受信されるたびに（初当り毎に）、連チャン回数の順位が特定されてサブＲＡＭ４３に記憶されている。
【００９８】
続くステップ２４８に進むと、サブＣＰＵ４１は、サブＲＡＭ４３に記憶されている第１位から第５位までの連チャン回数および各順位、つまりステップ２４５の順位比較処理における比較結果に基づく順位のうち、計数連チャン回数の順位に関する順位表示画像５０７ｃ（図２０（ｈ）参照）を液晶表示装置１６（表示手段）に表示させるための順位表示データをセットする。また、サブＣＰＵ４１は、順位表示データとともに時短終了を報知する演出データをセットする処理を行ってコマンド解析制御処理が終了する。
【００９９】
受信コマンドがその他のコマンドのときは、ステップ２５２に進み、コマンド対応処理が行われる。コマンド対応処理は、図１７に示すフローチャートに沿って実行され、ステップ３０１に進むと受信コマンドがデモ表示コマンドか否かが判定され、デモ表示コマンドのときはステップ３０２に進み、デモ表示画像５０４（図２１参照）を液晶表示装置１６（表示手段）に表示させるデモ表示データがセットされてステップ３０３に進み、待機状態フラグに“９”がセットされてコマンド対応処理が終了する。
【０１００】
また、受信コマンドがデモ表示コマンドでないときはステップ３０４に進み、受信コマンドが変動パターンコマンドと判定されるときはステップ３０５に進む。ステップ３０５に進むとサブ用時短回数カウンタが“０”か否かの判定が行われ、“０”のときはステップ３０８に進み、“０”でないときはステップ３０６に進む。サブ用時短回数カウンタが“０”でないときはステップ３０６に進み、サブ用時短回数カウンタから“１”減算されてステップ３０７に進む。ステップ３０７に進むと、サブＣＰＵ４１は、サブ用時短回数カウンタの値を読み出し、その値を液晶表示装置１６に表示させるために時短残り回数表示データをセットしてステップ３０８に進む。ステップ３０８に進むと、待機状態フラグに“９”がセットされているか否かの判定が行われ、“９”がセットされていないときはステップ３１０に進む。一方、“９”がセットされているときは、ステップ３０９に進み、デモ表示状態が終了したとして待機状態フラグがクリアされて後続のステップ３１０に進む。ステップ３１０に進むと、変動パターンコマンドに対応するデータ（特別図柄Ｊの可変表示に係るデータ等）がセットされてコマンド対応処理が終了する。
また、受信コマンドがその他のコマンドのときはステップ３１１に進み、その他受信コマンドに対応する処理が実行されてコマンド対応処理が終了する。
【０１０１】
このようにパチンコ遊技機１は、大当り開始コマンドを受信（大当りに移行）して初当りと判定される毎に連チャン回数カウンタをリセット（“０”をセット）する。その後、大当りの終了に伴って高確率コマンドを受信（確変遊技状態に移行）、または時短コマンドを受信（時短遊技状態に移行）すると所定の連続大当り条件の成立を示す連チャン中フラグに“１”をセットする。その後、大当り開始コマンドを受信（大当りに移行）したときに連チャン中フラグに“１”がセットされていると、連続大当り回数を計数するために連チャン回数カウンタに“１”を加算し、低確率コマンドを受信（時短遊技状態の終了）すると所定の連続大当り条件の不成立を示すように連チャン中フラグをクリア（“０”をセット）し、そのときの連チャン回数カウンタの値を連チャン回数として順位を特定する。
【０１０２】
次に図１５に戻ってコマンド解析制御処理が終了してステップ２０４に進むと、サブＣＰＵ４１は、演出ボタン入力検出制御処理を行う。演出ボタン入力検出制御処理が開始すると図１８に示すステップ８１に進み、表示命令情報の入力（遊技者による所定の表示指示操作）の有無の判定が行われる。ここで、遊技者によって演出ボタン２０ｄの操作が行われると、演出ボタン２０ｄから表示命令情報が出力されてサブＣＰＵ４１に入力される。サブＣＰＵ４１は、表示命令情報の入力が無ければ演出ボタン入力検出制御処理を終了し、有れば所定の表示指示操作が受け付けられたとしてステップ８２に進む。ステップ８２に進むと、待機状態フラグに“９”のセットが有るか否かが判定され、セットされているときはステップ８３に進み、セットされていないときは演出ボタン入力検出制御処理が終了する。
【０１０３】
ステップ８３に進むと、サブＣＰＵ４１は表示制御手段として作動してランキング表示データのセットを行って演出ボタン入力検出制御処理を終了する。ここでサブＣＰＵ４１は、サブＲＡＭ４３に記憶されている第１位〜第５位までの大当りタイムおよび順位を読込み、コマンド解析制御処理における順位比較処理（図１６参照）の比較結果に基づく順位を示すランキング表示画像６００（図２２参照）を液晶表示装置１６に表示させるランキング表示データのセットを行う。ランキング表示画像６００については後述するが、例えば、「本日の連チャン回数ランキング」というメッセージ画像および連チャン回数と順位とを対応付けて表示する画像を有する。
【０１０４】
また図１５に戻って演出ボタン入力検出制御処理が終了すると表示制御処理が行われる。表示制御処理は図１９に示すフローチャートに沿って行われる。サブＣＰＵ４１は表示制御処理を開始するとステップ９１に進み、サブＣＰＵ４１が表示制御手段として作動して、コマンド解析制御処理でセットされた大当り開始演出データ、確変中報知データ、時短中報知データ、順位表示データ、デモ表示データ等を用いたコマンド解析制御処理の結果に基づく画像表示を画像制御回路５０に指示し、液晶表示装置１６に表示させる。
【０１０５】
液晶表示装置１６に表示される画像表示の順番は、例えば図２０に示すようになる。図２０を参照して画像表示の流れについて一例を説明すると、まず、図２０（ａ）に示すように初当りである確変大当りが終了すると、各装飾図柄（数字図柄）ＤＬ，ＤＣ，ＤＲが奇数のぞろ目（例えば、数字の“３”のぞろ目）となる図柄画像５００ａ、初当りであることを示す「連チャン数＝１」という連チャン回数表示画像５００ｂと、「大当り終了  確率変動突入！！」というメッセージが上下二段に配置された確変突入メッセージ画像５００ｃが表示される。
【０１０６】
その後、始動入賞口９に遊技球が入賞すると、同図（ｂ）に示すように、連チャン回数表示画像５００ｂはそのままで各装飾図柄（数字図柄）ＤＬ，ＤＣ，ＤＲが可変表示される可変表示画像５０１ａ、「確変中」というメッセージからなる確変中報知画像５０１ｃとが表示される。ここで確変中報知画像５０１ｃは、ステップ２２３（図１６）の確変中報知データのセットに基づいて表示される画像である。
そして通常大当りに当選すると同図（ｃ）に示すように各装飾図柄（数字図柄）ＤＬ，ＤＣ，ＤＲが偶数のぞろ目（例えば、数字の“６”のぞろ目）となる図柄画像５０２ａと、「大当り！！」というメッセージからなる大当りメッセージ画像５０２ｃと、「連チャン数＝２」のように連チャン回数を示す連チャン回数表示画像５０２ｂとが表示される。ここで連チャン回数表示画像５０２ｂは、ステップ２１６の大当り開始報知データのセットに基づいて表示される画像であり、連チャン回数の“２”は、連チャン回数カウンタに対応している。
【０１０７】
その後、大当りが終了すると、同図（ｄ）に示すように図柄画像５０２ａ、連チャン回数表示画像５０２ｂはそのままで、「大当り終了  時短突入！１００回チャンス」というメッセージが上下二段に配置された時短突入メッセージ画像５０３ｃが表示される。
そして始動入賞口９に遊技球が入賞すると同図（ｅ）に示すように連チャン回数表示画像５０２ｂはそのままで、各装飾図柄（数字図柄）ＤＬ，ＤＣ，ＤＲが可変表示される可変表示画像５０４ａ、連チャン回数表示画像５０４ｂ、「時短中  あと４６回」というメッセージからなる時短中報知画像５０４ｃとが表示される。なお、時短中報知画像５０４ｃは、ステップ３０７（図１７参照）の時短残り回数表示データのセットに基づいて表示される画像であり、「あと４６回」という数字は、サブ用時短回数カウンタの値に対応している。
【０１０８】
その後、時短遊技状態において大当りに当選すると、同図（ｆ）に示すように各装飾図柄（数字図柄）ＤＬ，ＤＣ，ＤＲが偶数のぞろ目（例えば、数字の“４”のぞろ目）となる図柄画像５０５ａと、「大当り！！」というメッセージからなる大当りメッセージ画像５０５ｃと、連チャン回数として“１”が加算された後の「連チャン数＝３」という連チャン回数表示画像５０５ｂとが表示される。連チャン回数表示画像５０５ｂも、ステップ２１６の大当り開始報知データのセットに基づいて表示される画像である。
そして大当りが終了すると同図（ｇ）に示すように図柄画像５０５ａと、連チャン回数表示画像５０５ｂとはそのままで「大当り終了  時短突入！１００回チャンス」というメッセージが上下二段に配置された時短突入メッセージ画像５０６ｃが表示される。
その後、大当りに当選することなく特別図柄Ｊの可変表示回数が１００回転に到達して時短遊技状態での遊技を消化すると、同図（ｈ）に示すように図柄画像５０７ａ、連チャン回数表示画像５０７ｂ、「時短終了  連チャンランキング５位に入賞！  おめでとうございます」というメッセージを３段に配置してなる順位表示画像５０７ｃが表示されるようになる。ここで順位表示画像５０７ｃは、ステップ２４８（図１６）の連チャン順位表示データ、時短終了報知データのセットに基づいて表示される画像であり、順位表示画像５０７ｃ中の「５位」は、ステップ２４６（図１６）で特定された順位に対応している。
【０１０９】
以上でコマンド解析制御処理の結果に基づく画像表示制御が終了してステップ９２（図１９）に進むと、サブＣＰＵ４１は、ランキング表示データがセットされているか否かを判定し、セットされているときはステップ９３に進み、セットされていないときはステップ９３を実行せずに表示制御処理を終了する。ステップ９３に進むと、ランキング画像表示制御処理が行われ、サブＣＰＵ４１は、画像制御回路５０に指示して液晶表示装置１６にランキング表示画像６００（図２２参照）を所定時間（例えば５秒）表示させた後に図２１に示すようなデモ演出画像５０４を表示させる。ランキング表示画像６００は、例えば、図２２に示すように「本日の連チャン回数ランキング」というメッセージ画像６０１と、第１位〜第５位までの連チャン回数に基づく時間と順位とを対応付けて構成されている順位画像６０２とを有している。
【０１１０】
以上で表示制御処理が終了し、図１５に示すように後続のステップ２０６（音声制御処理）、ステップ２０７（ランプ制御処理）に進むと、サブＣＰＵ４１が主制御回路３０からのコマンドに基づくコマンド解析制御処理の結果に対応させて音声制御回路６０、ランプ制御回路７０に指示し、スピーカ１８Ｌ，１８Ｒから音声を出力させ、また、装飾ランプ１９Ｌ，１９Ｒを点灯または消灯させる。
【０１１１】
以上のように、パチンコ遊技機１では、液晶表示装置１６が連チャン回数とともに連チャン回数に関する順位を表示することにより、連チャン回数の多さや、すごさを相対的に推し量ることができる材料を遊技者に提供している。これにより、パチンコ遊技機１は、遊技者の遊技意欲を向上させて、遊技の興趣を図ることができるようになっている。
特にパチンコ遊技機１では、連続大当り条件が不成立となるたび（時短遊技状態が終了するたび）に連チャン回数の順位を表示しているため、連チャン回数を強く意識して遊技を行う遊技者に対して、より多くの連チャン回数（連続大当り回数）を出そうとする意識、競争心を強く働かせて遊技意欲の向上を図ることができるようになっている。
【０１１２】
また、パチンコ遊技機１では、連続大当り条件は、遊技状態が確変遊技状態であるときに成立するようになっている。確変遊技状態に移行すると短時間で大当り遊技状態となる可能性が高い。そのため遊技者は、確変遊技状態に移行すると、遊技球の消費を極力抑えながら次回の大当りによってより大きな利益を獲得することができるようになり、確変遊技状態への移行に対する意欲を向上させながら連チャン回数の増加を期待して遊技を行うようになり、遊技意欲がさらに向上するようになる。
【０１１３】
また、パチンコ遊技機１では、連続大当り条件は、遊技状態が時短遊技状態であるときに成立するようになっている。そのため遊技者は、確変遊技状態に移行しなくても、時短遊技状態となることによって短時間での大当りへの移行が可能となり、遊技者は、確変遊技状態に移行しなくても連続大当り回数を増加させようとする意欲を持続させることができる。
【０１１４】
また、パチンコ遊技機１では、遊技者による演出ボタン２０ｄの表示指示操作が受け付けられたときに、ランキング表示画像６００が表示されるようになっている。そのため、デモ表示画像５０４が表示されているときなどの遊技者の所望するときに、連チャン回数の順位を遊技者に視認させることができるようになり、遊技者の利便性を向上させることができるようになる。特に、本実施の形態ではデモ演出画像５０４（図２１参照）の表示中における遊技者の操作によってランキング表示画像６００が表示されるため、遊技者は遊技開始前のパチンコ遊技機１の選定に際して、上位にランクされている連チャン回数の値が多いパチンコ遊技機１を賞球効率が良い優良機（優良台ともいう）として選ぶことも可能となり、遊技を開始する上での動機付けが働いて遊技意欲の向上にもなる。
【０１１５】
また、以上のパチンコ遊技機１に、特別図柄Ｊの可変表示回数を計数する可変表示回数計数カウンタ（計数手段）を設け、大当り終了後から可変表示回数計数カウンタでの計数を開始するとともに、大当りの終了後からの特別図柄Ｊの所定の可変表示回数（例えば、３０回）を特例回数として予め定めておようにしてもよい。そして連続大当り条件を、大当りの終了後、特別図柄Ｊの可変表示回数が特例回数に達する前であるようにしてもよい。
このようなパチンコ遊技機１によれば、短時間で再度大当りに移行したような場合には、特例として連チャン回数として計数されるようになり、連チャン回数の増加によって連続大当りに対する遊技意欲がさらに向上するようになる。特に大当り終了後に、連続大当り条件に含まれていない通常遊技状態に移行した場合などには、一旦、途切れたかのように見えた連チャン回数が再びつながってあたかも復活したかのように感じられ、遊技者は得したような満足感を得ることができて遊技の興趣が一層図られるようになる。
【０１１６】
（第２の実施の形態に係る遊技機）  
続いて、本発明に係る遊技機の第２の実施の形態について図２３を参照して説明する。
本実施の形態に係る遊技機はパチスロ機１００であり、図２３は、パチスロ機１００の全体構成を示す斜視図である。パチスロ機１００は複数の図柄を複数列で可変表示する可変表示手段を有し、その可変表示手段により、識別図柄に相当する複数の図柄の可変表示を行い、遊技を行えるように構成されている。
【０１１７】
パチスロ機１００は、筐体１０２の正面に画像表示部１２０を有し、筐体１０２の内部における画像表示部１２０の背面側に、機械式の３つのリール３Ｌ，３Ｃ，３Ｒが回転自在に横一列で配置されている。各リール３Ｌ，３Ｃ，３Ｒは画像表示部１２０の図柄表示領域２１Ｌ，２１Ｃ，２１Ｒを通して外部から視認可能になっている。各リール３Ｌ，３Ｃ，３Ｒは、定速（例えば８０回転／分）で回転するように構成され、各々の外周面にそれぞれ２１個づつの複数種類の図柄を有する図柄列が描かれ、各図柄が可変表示される回転自在の可変表示手段を構成している。また、それぞれの内部に図示しないＬＥＤランプ（バックライト）が設けられている。
【０１１８】
また、パチスロ機１００は、画像表示部１２０の下側にほぼ水平の台座部１０４を有し、その台座部１０４の左側に押しボタン操作でクレジットされているコインを賭ける設定を行うためのＢＥＴスイッチ１０５を有し、右側に遊技者がコインを投入するためのコイン投入口１０６を有している。なお、コイン投入口１０６は、コイン投入を示す信号を出力する投入コインセンサを有している。
【０１１９】
さらにパチスロ機１００は、パネル表示部１２０ａ、液晶表示部１２０ｂ及び所定の画像を表示する固定表示部１２０ｃからなる画像表示部１２０を有し、液晶表示部１２０ｂに順位表示画像やランキング表示画像が表示されるようになっている。
【０１２０】
以上の構成を有するパチスロ機１００の遊技状態には、「一般遊技状態」と、「ＢＢ遊技状態（ビックボーナス遊技状態）」および「ＲＢ遊技状態（レギュラーボーナス遊技状態）」等があり、さらにＡＴ（アシストタイム：内部当選の種別を報知する期間）での遊技状態（「ＡＴ遊技状態」）やＣＴ（チャレンジタイム：一部のリールについて後続４コマ分の引込制御を行わない期間）での遊技状態（「ＣＴ遊技状態」）がある。「ＢＢ遊技状態（ビックボーナス遊技状態）」、「ＲＢ遊技状態（レギュラーボーナス遊技状態）」、「ＡＴ遊技状態」、「ＣＴ遊技状態」が本発明における大当り遊技状態に相当する。
【０１２１】
このようなパチスロ機１００では、ＢＢ遊技状態の連チャン回数、ＲＢ遊技状態の連チャン回数、さらにＡＴ遊技状態の連チャン回数、ＣＴ遊技状態の連チャン回数から順位を特定し、その順位を順位表示画像やランキング表示画像によって表示するようにすることができる。
【０１２２】
（遊技用プログラムの実施の形態）
パーソナルコンピュータ（以下「パソコン」という）などの情報処理装置を用いて上述の各実施の形態におけるパチンコ遊技機１で実現されるパチンコ遊技を行うための遊技用プログラムの実施の形態について説明する。図２４は、遊技用プログラムを実行するパソコン３００を示す正面図である。なお、パソコン３００は、パチンコ遊技機１に備えられている遊技釘や遊技球を備えていないので、パソコン３００におけるパチンコ遊技はあたかも遊技釘を備えた遊技領域を遊技球が通過するような画像を用いて行われ、パチンコ遊技機１で実現されるパチンコ遊技の擬似的なものとなっている。
【０１２３】
図２４に示すように、パソコン３００は、コンピュータ本体３０１と、表示領域３０２に画像を表示する表示装置３０３と、遊技者や操作者が操作入力を行うキーボード、マウスを含み、演出ボタン２０ｄと同様の機能を実現し得る操作入力装置３０４とを有している。コンピュータ本体３０１には表示手段としての表示装置３０３と操作入力装置３０４とが接続されている。
【０１２４】
コンピュータ本体３０１は、少なくともＣＰＵ，ＲＯＭ，ＲＡＭ（記憶手段）を有し、そのＣＰＵがＲＡＭに記憶されているデータを用い、ＲＯＭに記憶されている遊技用プログラムを含む制御プログラムにしたがい作動して、パチンコ遊技機１で実現されるパチンコ遊技が擬似的に行えるようになっている。
【０１２５】
そして、その遊技用プログラムは、上述したメイン制御処理、サブ制御処理、システムタイマ割込み処理を実行するためのプログラムが含まれていて、パソコン３００に対し、以下の１）〜８）の各機能を実現させることができるようになっている。すなわち、
【０１２６】
１）識別図柄としての特別図柄の可変表示の制御を行う可変表示制御機能と、
２）可変表示制御機能における特別図柄の可変表示結果が特定表示態様になったときに、遊技者にとって有利な大当り遊技状態（大当り）に遊技状態を移行させる大当り移行制御機能と、
３）特定表示態様となったときにおいて所定の連続大当り条件が成立しているか否かを判定する連続大当り判定機能と、
４）特定表示態様となったときにおいて連続大当り判定機能によって連続大当り条件が成立していないと判定されたときに初当りと判定する初当り判定機能と、
５）初当り判定機能によって初当りと判定されてから、初当り判定機能によって判定されることなく特定表示態様となった場合にその連続した回数を連続大当り回数として計数する連続大当り回数計数機能と、
６）連続大当り回数計数機能によって計数された連続大当り回数を初当りの判定毎に所定の記憶領域に記憶させる連続大当り回数計数機能と、
７）所定の記憶領域に記憶された初当りの判定毎の連続大当り回数の大小を比較し、初当りの判定毎に順位を特定する順位特定機能と、
８）順位特定機能によって特定された順位を表示させる制御を行う順位表示制御機能とをコンピュータに実現させることができるようになっている。
【０１２７】
また、上記のほか、遊技用プログラムは、パソコン３００に対し、以下の９）の機能を実現させることができるようにしてもよい。すなわち、
９）特別図柄の可変表示結果が特定表示態様のうちの特別表示態様になったときに、大当り遊技状態終了後の遊技状態を、特別図柄の可変表示結果が特定表示態様になる確率が高くなる特別遊技状態とする特別遊技制御機能を実現させ、連続大当り条件は、特別遊技状態であることを含むように制御することもできる。
また、上記１）〜９）のほか、遊技用プログラムは、パソコン３００に対し、以下の１０）の機能を実現させることができるようにしてもよい。すなわち、
１０）特別図柄の可変表示結果が特別表示態様とは異なる態様であって、特定表示態様のうちの非特別表示態様になったときに、大当り遊技状態終了後の遊技状態を、特別図柄の可変表示される時間が短縮される時短遊技状態とする時短遊技制御機能を実現させ、連続大当り条件は、時短遊技状態であることを含むように制御することもできる。
また、上記のほか、遊技用プログラムは、パソコン３００に対し、連続大当り条件は、大当り遊技状態の終了後、特別図柄の可変表示回数が予め定められた特例回数に達する前であることを含むように制御することもできる。
【０１２８】
これらの遊技用プログラムをＣＰＵがＲＯＭから読み出し実行することによって、パソコン３００において、上述したパチンコ遊技機１におけるパチンコ遊技の擬似的なパチンコ遊技を行える。
【０１２９】
パソコン３００において、遊技用プログラムはＲＯＭに記憶されているが、ＣＤ−ＲＯＭ等の記憶媒体に記憶させておいてもよい。また、図２５に示すように、パソコン３００がネットワーク４００を介して、遊技用プログラムを記憶しているサーバ４０１に接続され、そのサーバ４０１から遊技用プログラムをダウンロードするようにしてもよい。パソコン３００の代わりに、携帯電話などの携帯端末で遊技用プログラムを実行するようにしてもよい。
【０１３０】
以上の第１の実施の形態に係るパチンコ遊技機１では、１種パチンコ機の場合を例に説明したが、２種（いわゆるヒコーキもの）や３種（いわゆる権利もの）のパチンコ機に適用してもよい。また、パチンコ遊技機１では、識別図柄として特別図柄Jの場合を説明したが、装飾図柄Ｄや普通図柄Ｎであってもよい。
また、パチンコ遊技機１では、確変遊技状態、時短遊技状態のいずれの場合にも連続大当り条件が成立する場合を例に説明したが、いずれか一方の遊技状態の場合にのみ、連続大当り条件が成立するものとしてもよい。また、パチンコ遊技機１では、通常遊技状態、大当り遊技状態のほかに確変遊技状態、時短遊技状態で遊技を行える機能を有していたが、確変遊技状態、時短遊技状態のいずれか一方でのみ遊技を行える機能を有するパチンコ遊技機であってもよい。
また、順位表示画像を液晶表示装置１６に表示させるタイミングは、大当り遊技状態の終了後に限定されず、例えば、遊技用価値が記憶されたハウスカードや貨幣を投入した際、また、大当りの開始前などであってもよい。
【０１３１】
また、本実施の形態では、演出ボタンの操作により、デモ演出画像を表示しているときにランキング表示画像を表示したが、演出ボタンなどの操作手段を備えず、例えば、デモ演出画像を表示しているとき（待機画像表示中）の一定の時間間隔おきに自動的にランキング表示画像を表示させるようにしてもよい。
また、順位表示画像やランキング表示画像によって表示する順位は１位から５位までに限定されず、例えば１０位から５０位、１位から３位、最下位と最下位の１つ上の順位（いわゆるブービー）であってもよく、更に、任意に設定可能として遊技店舗の都合に合わせて適宜に順位を設定できるようにしてもよい。
【０１３２】
更にまた、連チャン回数の順位として特定する範囲も１位から５位の範囲に限定されず、また、順位表示画像やランキング表示画像で表示する表示順位（例えば１位から５位）よりも広い範囲（例えば１位から１００位）内で順位を記憶しておき、計数連チャン回数の順位だけは特別に、表示順位に入らなくても順位を特定して表示するようにしてもよい。また、計数連チャン回数が表示順位内に入らなかったときには、「残念！！」というようなメッセージ画像を表示するようにしてもよい。
【０１３３】
更に、本実施の形態では、サブ制御処理において副制御回路４０のサブＣＰＵ４１が主として計測手段、比較手段、開始検出手段、終了検出手段、表示制御手段、払出媒体数特定手段として作動したが、メイン制御処理においてメインＣＰＵ３１が上記各手段として作動するようにしてもよい。
【図面の簡単な説明】
【０１３４】
【図１】本発明の第１の実施形態に係るパチンコ遊技機を正面側から示す斜視図である。
【図２】図１に示すパチンコ遊技機の分解斜視図である。
【図３】図１に示すパチンコ遊技機を背面側から示す斜視図である。
【図４】図１に示す遊技盤の正面図である。
【図５】図１に示すパチンコ遊技機の断面を模式的に示す断面図である。
【図６】パチンコ遊技機の内部の構成を中心に示すブロック構成図である。
【図７】特別図柄決定テーブルの一例を示す図である。
【図８】電源を投入したあとに主制御回路により繰返し実行されるメイン制御処理の手順を示すフローチャートである。
【図９】特別図柄制御処理の手順を示すフローチャートである。
【図１０】特別図柄記憶チェック処理の手順を示すフローチャートである。
【図１１】特別図柄表示時間管理処理の手順を示すフローチャートである。
【図１２】時短判定処理の手順を示すフローチャートである。
【図１３】大当り終了インターバル処理の手順を示すフローチャートである。
【図１４】普通図柄制御処理の手順を示すフローチャートである。
【図１５】サブ制御処理の手順を示すフローチャートである。
【図１６】コマンド解析制御処理の手順を示すフローチャートである。
【図１７】コマンド対応処理の手順を示すフローチャートである。
【図１８】演出ボタン入力検出制御処理の手順を示すフローチャートである。
【図１９】表示制御処理の手順を示すフローチャートである。
【図２０】液晶表示装置に表示される装飾図柄を示す図である。
【図２１】液晶表示装置に表示されるデモ演出画像の１例を示す図である。
【図２２】液晶表示装置に表示される遊技状態に基づくランキング表示画像の１例を示す図である。
【図２３】本発明の第２の実施形態に係るパチスロ機を正面側から示す斜視図である。
【図２４】遊技用プログラムを実行するパソコンを示す正面図である。
【図２５】図２４のパソコンと、ネットワークを介して接続されるサーバとを示す正面図である。
【符号の説明】
【０１３５】
１…パチンコ遊技機、４…遊技盤、４ａ…遊技領域
１６…液晶表示装置、１６ａ…表示領域
２０ｄ…演出ボタン
３０…主制御回路、４０…副制御回路
３１…メインＣＰＵ、３２…メインＲＯＭ
３３…メインＲＡＭ、４３…サブＲＡＭ
４１…サブＣＰＵ、４２…サブＲＯＭ
３００…パソコン、３０１…コンピュータ本体
３０２…表示領域、３０３…表示装置
３０４…操作入力装置
【図１】
2006296677.tif 000003
【図２】
2006296677.tif 000004
【図３】
2006296677.tif 000005
【図４】
2006296677.tif 000006
【図５】
2006296677.tif 000007
【図６】
2006296677.tif 000008
【図７】
2006296677.tif 000009
【図８】
2006296677.tif 000010
【図９】
2006296677.tif 000011
【図１０】
2006296677.tif 000012
【図１１】
2006296677.tif 000013
【図１２】
2006296677.tif 000014
【図１３】
2006296677.tif 000015
【図１４】
2006296677.tif 000016
【図１５】
2006296677.tif 000017
【図１６】
2006296677.tif 000018
【図１７】
2006296677.tif 000019
【図１８】
2006296677.tif 000020
【図１９】
2006296677.tif 000021
【図２０】
2006296677.tif 000022
【図２１】
2006296677.tif 000023
【図２２】
2006296677.tif 000024
【図２３】
2006296677.tif 000025
【図２４】
2006296677.tif 000026
【図２５】
2006296677.tif 000027